(57)【要約】【課題】表面洗浄装置を提供する。【解決手段】装置は、ハンドル流体入口と、ハンドル流体出口と、第一ハンドル電気接点と、第二ハンドル電気接点と、第一ハンドル空気通路と、第二ハンドル空気通路とを有するハンドルを備える。装置はさらに、シャフト流体入口と、シャフト流体出口と、第一シャフト電気接点と、第二シャフト電気接点と、第一シャフト空気空路と、第二シャフト空気通路と、第一シャフトとを有するシャフトを備える。第一シャフトは、シャフト流体入口と、第一シャフト電気接点と、第一シャフト空気通路とを備える。第一シャフト連結部は、ハンドルと結合して、シャフト流体入口をハンドル流体出口と接続し、第一シャフト電気接点を、第二ハンドル電気接点を接続し、第一シャフト空気通路を、第二ハンドル空気通路と接続するよう構成される。【選択図】図１
2019055180.tif 000002
【特許請求の範囲】
【請求項１】
ハンドルとシャフトとを備える装置であって、
前記ハンドルは、第一端及び第一端の反対側に位置する第二端と、ハンドルの第一端にあるハンドル流体入口と、ハンドルの第二端にありハンドル流体入口と動作伝達可能に接続されるハンドル流体出口と、ハンドルの第一端にある第一ハンドル電気接点と、ハンドルの第二端にあり第一ハンドル電気接点と動作伝達可能に接続される第二ハンドル電気接点と、ハンドルの第一端にある第一ハンドル空気通路と、ハンドルの第二端にある第二ハンドル空気通路とを備え、
前記シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備え、前記第一シャフト連結部は、シャフト流体入口と、第一シャフト電気接点と、第一シャフト空気通路とを備え、
前記第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成される、装置。
【請求項２】
前記シャフトはさらに、シャフト流体出口と、第二シャフト電気接点と、第二シャフト空気通路とを備える第二シャフト連結部を備え、前記第二シャフト連結部は、対応する付属の連結部と結合して、ハンドルから取付けられた付属品への流体の移送を促進し、取付けられた付属品へ電気を供給し、付属の空気通路を第一ハンドル空気通路へ連結するよう構成された、請求項１に記載の装置。
【請求項３】
前記シャフトは第一シャフトであり、前記付属品は、第一シャフトと同一の第二シャフトである、請求項２に記載の装置。
【請求項４】
前記ハンドルはトリガーを備え、前記付属品は、トリガーの作動に基づいて、流体を解放するよう構成されるクリーニングヘッドである、請求項２に記載の装置。
【請求項５】
前記ハンドルはさらに、トリガーと接続されるバルブを備え、前記バルブは、開放位置又は閉鎖位置にあるよう構成され、前記トリガーは、バルブを開放位置又は閉鎖位置に置くように構成され、前記付属品は、バルブが開放位置にあるとき、流体を解放するよう構成される、請求項４に記載の装置。
【請求項６】
前記クリーニングヘッドは、撹拌器と、第一ハンドル電気接点によって受ける電気に基づいて、撹拌器を移動させるよう構成される撹拌器モータとを備える、請求項４に記載の装置。
【請求項７】
連結バンドルをさらに備え、前記連結バンドルは、第一ハンドル空気通路と動作伝達可能に接続されるホースと、
ハンドル流体入口と動作伝達可能に接続される流体供給ラインと、
第一ハンドル電気接点と動作伝達可能に接続される電力供給ラインと、
抽出システムカプラーとを備え、前記抽出システムカプラーは、ホースと動作伝達可能に接続される吸引ポート連結部と、流体供給ラインと動作伝達可能に接続される流体供給連結部と、電力供給ラインと動作伝達可能に接続される電力供給接点とを備え、
前記抽出システムカプラーは、ホースを通って、抽出システム内への空気又は流体の一以上の吸引を促進し、前記抽出システムカプラーは、接続されて、接続された抽出システムから、電力供給ラインへの電気の移送を促進するよう構成される、請求項１に記載の装置。
【請求項８】
前記流体供給ライン及び前記電力供給ラインは、ホースの外側表面に固定される、請求項７に記載の装置。
【請求項９】
前記流体供給ライン及び前記電力供給ラインは、複数の留め具によって、ホースの外側表面に固定され、前記複数の留め具の各留め具は、ホース、流体供給ライン及び電力供給ラインに巻付くよう構成され、対応するライン座内に、流体供給ライン及び電力供給ラインを収容し、前記流体供給ライン及び前記電力供給ラインの各々は、対応する各ライン座及びホースの外側表面の間にある、請求項８に記載の装置。
【請求項１０】
前記ハンドルはグリップ部を備え、グリップ部を通って、前記第一ハンドル空気通路は、第二ハンドル空気通路と動作伝達可能に接続される、請求項８に記載の装置。
【請求項１１】
前記グリップ部は内径を有し、前記ホースは、グリップ部の内径と等しい内径を有する、請求項１０に記載の装置。
【請求項１２】
前記グリップ部は外径を有し、前記ホースはグリップ部の外径と等しい内径を有する、請求項１１に記載の装置。
【請求項１３】
前記ハンドルは、ハンドルの第一端とハンドルの第二端との間にグリップガードを備え、前記グリップガードはグリップ部から離され、前記ハンドル流体出口は、グリップガードによって、ハンドル流体入口と動作伝達可能に接続され、前記ハンドル電気接点は、グリップガードによって、第二ハンドル電気接点と動作伝達可能に接続される、請求項１０に記載の装置。
【請求項１４】
前記連結バンドルは、ハンドルに着脱可能に接続される、請求項７に記載の装置。
【請求項１５】
前記シャフトは、ハンドルに着脱可能に接続される、請求項１に記載の装置。
【請求項１６】
ハンドルと、１組のシャフトと、連結バンドルとを備える装置であって、
前記ハンドルは、第一端及び第一端の反対側に位置する第二端と、ハンドルの第一端にあるハンドル流体入口と、ハンドルの第二端にありハンドル流体入口と動作伝達可能に接続されるハンドル流体出口と、ハンドルの第一端にある第一ハンドル電気接点と、ハンドルの第二端にあり第一ハンドル電気接点と動作伝達可能に接続される第二ハンドル電気接点と、ハンドルの第一端にある第一ハンドル空気通路と、ハンドルの第二端にある第二ハンドル空気通路とを備え、
前記１組のシャフトの各シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備え、前記第一シャフト連結部は、シャフト流体入口と、第一シャフト電気接点と、第一シャフト空気通路とを備え、前記第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成され、
前記連結バンドルは、第一ハンドル空気通路と動作伝達可能に接続されるホースと、
ハンドル流体入口と動作伝達可能に接続される流体供給ラインと、
第一ハンドル電気接点と動作伝達可能に接続される電力供給ラインと、
抽出システムカプラーとを備え、前記抽出システムカプラーは、ホースと動作伝達可能に接続される吸引ポート連結部と、流体供給ラインと動作伝達可能に接続される流体供給連結部と、電力供給ラインと動作伝達可能に接続される電力供給接点とを備え、
前記抽出システムカプラーは、ホースを通って、抽出システム内への空気又は流体の一以上の吸引を促進し、前記抽出システムカプラーは、接続されて、接続された抽出システムから、電力供給ラインへの電気の移送を促進する、装置。
【請求項１７】
前記１組のシャフトの各シャフトはハウジングを備え、前記ハウジングを通って、第一シャフト空気通路の少なくとも１つが、第二シャフト空気通路に接続され、前記シャフト流体入口はシャフト流体出口に接続されるか、あるいは第一シャフト電気接点は第二シャフト電気接点に接続される、請求項１６に記載の装置。
【請求項１８】
前記第一シャフト空気通路は、ハウジングの外側のパイプ又はホースの一以上によって、第二シャフト空気通路に接続される、請求項１７に記載の装置。
【請求項１９】
前記ハンドルは、１組のシャフトの１シャフトに着脱可能に接続され、前記１組のシャフトのシャフトは、互いに着脱可能に接続され、前記１組のシャフトのシャフトは、互いに固定される、請求項１７に記載の装置。
【請求項２０】
ハンドルと、シャフトと、連結バンドルとを備える装置であって、
前記ハンドルは、第一端及び第一端の反対側に位置する第二端と、ハンドルの第一端にあるハンドル流体入口と、ハンドルの第二端にありハンドル流体入口と動作伝達可能に接続されるハンドル流体出口と、ハンドルの第一端にある第一ハンドル電気接点と、ハンドルの第二端にあり第一ハンドル電気接点と動作伝達可能に接続される第二ハンドル電気接点と、ハンドルの第一端にある第一ハンドル空気通路と、ハンドルの第二端にある第二ハンドル空気通路とを備え、
前記シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備え、前記第一シャフト連結部は、シャフト流体入口と、第一シャフト電気接点と、第一シャフト空気通路とを備え、前記第一シャフト連結部は、ハンドルの第二端と結合して、シャフト流体入口をハンドル流体出口と接続し、第一シャフト電気接点を第二ハンドル電気接点と接続し、第二シャフト連結部は、シャフト流体出口と、第二シャフト電気接点と、第二シャフト空気通路とを備え、
前記連結バンドルは、第一ハンドル空気通路と動作伝達可能に接続されるホースと、
ハンドル流体入口と動作伝達可能に接続される流体供給ラインと、
第一ハンドル電気接点と動作伝達可能に接続される電力供給ラインと、
抽出システムカプラーとを備え、前記抽出システムカプラーは、ホースと動作伝達可能に接続される吸引ポート連結部と、流体供給ラインと動作伝達可能に接続される流体供給連結部と、電力供給ラインと動作伝達可能に接続される電力供給接点とを備え、
前記抽出システムカプラーは、ホースを通って、抽出システム内への空気又は流体の一以上の吸引を促進し、前記抽出システムカプラーは、接続されて、接続された抽出システムから、電力供給ラインへの電気の移送を促進し、
第二シャフト連結部に着脱可能に取付けられる複数の付属品の少なくとも１つの付属品を備えた装置であって、前記複数の付属品の各付属品は、対応する付属の空気通路と付属の連結部とを備え、第二シャフト連結部と結合して、ハンドルから、複数の付属品の少なくとも１つの着脱可能に取付けられた付属品への、流体の移動を促進し、複数の付属品の少なくとも１つの着脱可能に取付けられた付属品へ、電気を供給し、複数の付属品の少なくとも１つの着脱可能に取付けられた付属品の、付属の空気通路を、第一ハンドル空気通路へ連結するよう構成される、装置。
【発明の詳細な説明】
【技術分野】
【０００１】
この発明は、表面洗浄装置に関するものである。
【背景技術】
【０００２】
装置の製造業者及びサービス提供会社は、継続的に、消費者に対して価値と便利さを提供することが可能な洗浄システムを開発することに挑戦させられている。従来の床洗浄システムは、頻繁に消費者をおびえさせ、装置における限られた順応性、使用及び／又は移送を提供する。
【発明の概要】
【０００３】
一つの局面において、本発明に係る装置は、ハンドルとシャフトとを備える。ハンドルは、第一端及び第一端の反対側に位置する第二端と、ハンドルの第一端にあるハンドル流体入口と、ハンドルの第二端にありハンドル流体入口と動作伝達可能に接続されるハンドル流体出口と、ハンドルの第一端にある第一ハンドル電気接点と、ハンドルの第二端にあり第一ハンドル電気接点と動作伝達可能に接続される第二ハンドル電気接点と、ハンドルの第一端にある第一ハンドル空気通路と、ハンドルの第二端にある第二ハンドル空気通路とを備え、シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備え、第一シャフト連結部は、シャフト流体入口と、第一シャフト電気接点と、第一シャフト空気通路とを備え、第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成される。
【０００４】
他の局面において、本発明に係る装置は、ハンドルと、１組のシャフトと、連結バンドルとを備える。ハンドルは、第一端及び第一端の反対側に位置する第二端と、ハンドルの第一端にあるハンドル流体入口と、ハンドルの第二端にありハンドル流体入口と動作伝達可能に接続されるハンドル流体出口と、ハンドルの第一端にある第一ハンドル電気接点と、ハンドルの第二端にあり第一ハンドル電気接点と動作伝達可能に接続される第二ハンドル電気接点と、ハンドルの第一端にある第一ハンドル空気通路と、ハンドルの第二端にある第二ハンドル空気通路とを備え、１組のシャフトの各シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備え、第一シャフト連結部は、シャフト流体入口と、第一シャフト電気接点と、第一シャフト空気通路とを備え、第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成され、連結バンドルは、第一ハンドル空気通路と動作伝達可能に接続されるホースと、ハンドル流体入口と動作伝達可能に接続される流体供給ラインと、第一ハンドル電気接点と動作伝達可能に接続される電力供給ラインと、抽出システムカプラーとを備え、抽出システムカプラーは、ホースと動作伝達可能に接続される吸引ポート連結部と、流体供給ラインと動作伝達可能に接続される流体供給連結部と、電力供給ラインと動作伝達可能に接続される電力供給接点とを備え、抽出システムカプラーは、ホースを通って、抽出システム内への空気又は流体の一以上の吸引を促進し、前記抽出システムカプラーは、接続されて、接続された抽出システムから、電力供給ラインへの電気の移送を促進する。
【０００５】
さらに他の局面において、本発明に係る装置は、ハンドルと、シャフトと、連結バンドルとを備える。ハンドルは、第一端及び第一端の反対側に位置する第二端と、ハンドルの第一端にあるハンドル流体入口と、ハンドルの第二端にありハンドル流体入口と動作伝達可能に接続されるハンドル流体出口と、ハンドルの第一端にある第一ハンドル電気接点と、ハンドルの第二端にあり第一ハンドル電気接点と動作伝達可能に接続される第二ハンドル電気接点と、ハンドルの第一端にある第一ハンドル空気通路と、ハンドルの第二端にある第二ハンドル空気通路とを備え、シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備え、第一シャフト連結部は、シャフト流体入口と、第一シャフト電気接点と、第一シャフト空気通路とを備え、第一シャフト連結部は、ハンドルの第二端と結合して、シャフト流体入口をハンドル流体出口と接続し、第一シャフト電気接点を第二ハンドル電気接点と接続し、第二シャフト連結部は、シャフト流体出口と、第二シャフト電気接点と、第二シャフト空気通路とを備え、連結バンドルは、第一ハンドル空気通路と動作伝達可能に接続されるホースと、ハンドル流体入口と動作伝達可能に接続される流体供給ラインと、第一ハンドル電気接点と動作伝達可能に接続される電力供給ラインと、抽出システムカプラーとを備え、抽出システムカプラーは、ホースと動作伝達可能に接続される吸引ポート連結部と、流体供給ラインと動作伝達可能に接続される流体供給連結部と、電力供給ラインと動作伝達可能に接続される電力供給接点とを備え、抽出システムカプラーは、ホースを通って、抽出システム内への空気又は流体の一以上の吸引を促進し、抽出システムカプラーは、接続されて、接続された抽出システムから、電力供給ラインへの電気の移送を促進し、第二シャフト連結部に着脱可能に取付けられる複数の付属品の少なくとも１つの付属品を備えた装置であって、複数の付属品の各付属品は、対応する付属の空気通路と付属の連結部とを備え、第二シャフト連結部と結合して、ハンドルから、複数の付属品の少なくとも１つの着脱可能に取付けられた付属品への、流体の移動を促進し、複数の付属品の少なくとも１つの着脱可能に取付けられた付属品へ、電気を供給し、複数の付属品の少なくとも１つの着脱可能に取付けられた付属品の、付属の空気通路を、第一ハンドル空気通路へ連結するよう構成される。
【０００６】
本開示の局面は、添付の図面と共に読めば、以下の詳細な説明から最も理解される。産業における標準的な習慣に従って、様々な特徴が縮尺通りに描かれないことを注記する。実際、様々な特徴の寸法が、議論を明確にするために、任意に増加又は減らされてもよい。
【図面の簡単な説明】
【０００７】
【図１】一以上の実施例に従った、装置の斜視図である。
【図２】一以上の実施例に従った、ハンドルの斜視図である。
【図３】一以上の実施例に従った、ハンドルの分解図である。
【図４】一以上の実施例に従った、シャフトの分解図である。
【図５】一以上の実施例に従った、留め具の側面図である。
【図６】一以上の実施例に従った、クリーニングヘッドの分解図である。
【図７】一以上の実施例に従った、クリーニングヘッドの分解図である。
【図８】一以上の実施例に従った、クリーニングヘッドの分解図である。
【発明を実施するための形態】
【０００８】
以下の開示は、提供される主題の異なる特徴を実行するために、多くの異なる実施例又は例を提供してもよい。構成要素及び配置の特有の例について、本開示を単純化するために以下に説明する。当然、これらは例にすぎず、これらに限定する意図はない。例えば、以下の明細書中の第一の特徴又は第二の特徴の位置づけは、第一及び第二の特徴が直接接触している実施例を含んでもよく、また、追加の特徴が、第一および第二の特徴が直接接触していなくてもよいような、第一と第二の特徴との間であってもよい実施例も含んでもよい。さらに、本開示は、様々な例における参照番号及び／又は文字を繰返してもよい。この繰返しは、単純化及び明晰さを目的としており、それ自体は、議論される様々な実施例及び／又は配置間の関係に影響しない。
【０００９】
さらに、「すぐ下に」、「下に」、「より低い」、「上に」、「より上に」等のような空間的な相対語を、図面で説明するように、任意の要素、又は他の要素又は特徴に対する特徴の関係を説明するため、ここでは説明を軽減するために使用してもよい。空間的な相対語は、図面で描写する方向性に追加して、使用又は操作中の装置の異なる方向性を包囲することが意図される。装置は、別方向に向けられてもよく（９０度回転、又は他の方向）、従ってここで使用される空間的な相対記述子は、同様に解釈されてもよい。
【００１０】
従来の液体抽出装置は、大きくかさばることがほとんどで、そうでなければ、消費者が通常、操作及び取扱いが困難である洗浄システムである。従来の洗浄システムは、洗浄システムの構成要素が、消費者によって操作され得る方法について、限定されることがほとんどであるので、移送及び修理が困難となる。
【００１１】
図１は、一以上の実施例に従った、装置１００の斜視図である。装置１００は、ハンドル１０１、及び連結バンドル１０３を備える。いくつかの実施例において、装置１００は任意で、上部シャフト１０５ａ、下部シャフト１０５ｂ、又は一以上の付属のアタッチメント１０７ａ、１０７ｂ又は１０７ｃ（まとめて「付属のアタッチメント１０７」と言う）の一以上を備える。
【００１２】
装置１００はモジュラー方式であり、ハンドル１０１、連結バンドル１０３、上部シャフト１０５ａ、下部シャフト１０５ｂ、及び少なくとも１つの付属のアタッチメント１０７の２つ以上が、少なくとも１つの組合せで、動作伝達可能に接続されるよう構成される。いくつかの実施例において、装置１００はモジュラー方式であり、ハンドル１０１、連結バンドル１０３、上部シャフト１０５ａ、下部シャフト１０５ｂ、及び少なくとも１つの付属のアタッチメント１０７の２つ以上が、複数の異なる組合せで動作伝達可能に接続されるよう構成される。
【００１３】
装置１００のモジュラー能力は、装置１００が提携する抽出システム１０８を、ユーザが運転、操作及び／又は移送する能力における自信を増加させる。装置１００のモジュラー能力はまた、ユーザにとって、移送及び修理をより容易で便利にさせる。
【００１４】
いくつかの実施例において、ハンドル１０１は、上部シャフト１０５ａ、下部シャフト１０５ｂ、又は付属のアタッチメント１０７の一以上に着脱可能に接続される。いくつかの実施例において、上部シャフト１０５ａ又は下部シャフト１０５ｂの一以上は、付属のアタッチメント１０７に着脱可能に接続される。いくつかの実施例において、上部シャフト１０５ａ又は下部シャフト１０５ｂの一以上は、上部シャフト１０５ａ又は下部シャフト１０５ｂ、ハンドル１０１又は付属のアタッチメント１０７の一以上の他方に着脱可能に接続されるよう構成される。いくつかの実施例において、連結バンドル１０３は、ハンドル１０１に着脱可能に接続される。いくつかの実施例において、連結バンドル１０３は、ハンドル１０１に固定される。
【００１５】
ハンドル１０１は、第一端１０９、及び第一端１０９の反対側に第二端１１１を備える。ハンドル流体入口１１３は、ハンドル１０１の第一端１０９上にあり、ハンドル流体出口１１５は、ハンドル１１１の第二端１１１上にある。ハンドル流体出口１１５は、チューブ、ホース、チャネル又は他の適切な構造によって、ハンドル流体入口１１３と動作伝達可能に接続される。チューブ、ホース、チャネル又は他の適切な構造は、ハンドル１０１の内側にある。いくつかの実施例において、チューブ、ホース、チャネル又は他の適切な構造は、ハンドル１０１の外側にある。
【００１６】
第一ハンドル電気接点１１７は、ハンドル１０１の第一端１０９上にあり、第二ハンドル電気接点１１９は、ハンドル１０１の第二端１１１上にある。第二ハンドル電気接点１１９は、第一ハンドル電気接点１１７と第二ハンドル電気接点１１９との間の伝導性材料によって、第一ハンドル電気接点１１７と動作伝達可能に接続される。伝導性材料は、ハンドル１０１の内側である。いくつかの実施例において、伝導性材料は、ハンドル１０１の外側である。いくつかの実施例において、伝導性材料は、一以上のワイヤを含む。
【００１７】
グリップ部１２０は、ハンドル１０１の第一端１０９と第二端１１１との間にある。第一ハンドル空気通路１２１はハンドル１０１の第一端１０９上にあり、第二ハンドル空気通路１２３はハンドル１０１の第二端１１１上にある。第一ハンドル空気通路１２１は、第二ハンドル空気通路１２３と動作伝達可能に接続される。いくつかの実施例において、第一ハンドル空気通路１２１は、ハンドル１０１の内側の、チューブ、シャフト、ホース、チャネル又は他の適切な構造によって、第二ハンドル空気通路１２３に動作伝達可能に接続される。いくつかの実施例において、チューブ、シャフト、ホース、チャネル又は他の適切な構造は、グリップ部１２０の内側にある。いくつかの実施例において、チューブ又はチャネルは、少なくとも部分的に、グリップ部１２０の一以上の内側側壁によって定められる。いくつかの実施例において、第一ハンドル空気通路１２１は、ハンドル１０１の外側の、チューブ、シャフト、ホース、チャネル又はいくつかの他の適切な構造によって、第二ハンドル空気通路１２３に動作伝達可能に接続される。
【００１８】
トリガー１２４は、ハンドル１０１の第一端１０９と第二端１１１との間にある。トリガー１２４は、流体を、ハンドル流体入口１１３から、ハンドル流体出口１１５へ流すように構成される。いくつかの実施例において、トリガー１２４はバルブを備え、トリガー１２４が作動された場合は開放位置に、トリガー１２４が解放された場合は閉鎖位置にあるよう構成される。いくつかの実施例において、トリガー１２４は、バルブと動作伝達可能に接続され、トリガー１２４が作動された場合は開放位置に、トリガー１２４が解放された場合は閉鎖位置にあるように構成される。
【００１９】
上部シャフト１０５ａ及び下部シャフト１０５ｂは、互いに接続されるよう構成され、及び／又は、個別にハンドル１０１と接続されるよう構成される。いくつかの実施例において、上部シャフト１０５ａ及び下部シャフト１０５ｂは、同一で交換可能である。いくつかの実施例において、上部シャフト１０５ａ及び下部シャフト１０５ｂは、同一で配置され、上部シャフト１０５ａ及び下部シャフト１０５ｂは互いに接続されると、上部シャフト１０５ａは、ハンドル１０１と接続され得るシャフトで、下部シャフト１０５ｂは、付属のアタッチメント１０７と接続され得る。いくつかの実施例において、下部シャフト１０５ｂは、付属のアタッチメントとして、装置１００内に備えられると考えられる。
【００２０】
上部シャフト１０５ａ及び下部シャフト１０５ｂの各々は、ハンドル１０１、又は上部シャフト１０５ａ又は下部シャフト１０５ｂの他方と接続されるよう構成される第一端と、付属のアタッチメント１０７、又は上部シャフト１０５ａ又は下部シャフト１０５ｂの他方と接続されるよう構成される第二端とを備える。図面の曖昧さを避けるために、上部シャフト１０５ａの特徴を説明するが、いくつかの実施例において、下部シャフト１０５ｂが同一の特徴を備えることが理解されるべきである。上部シャフト１０５ａは、シャフト流体入口１２５、及びシャフト流体出口１２７を備える。シャフト流体出口１２７は、シャフト流体入口１２５と動作伝達可能に接続される。いくつかの実施例において、シャフト流体出口１２７は、上部シャフト１０５ａの内側の、チューブ、シャフト、ホース、チャネル又はいくつかの他の適切な構造によって、シャフト流体入口１２５と動作伝達可能に接続される。いくつかの実施例において、シャフト流体出口１２７は、上部シャフト１０５ａの外側の、チューブ、シャフト、ホース、チャネル又はいくつかの他の適切な構造によって、シャフト流体入口１２５と動作伝達可能に接続される。
【００２１】
第一シャフト電気接点１２９は、上部シャフト１０５ａの第一端上にあり、第二シャフト電気接点１３１は、上部シャフト１０５ａの第二端上にある。第二シャフト電気接点１３１は、第一シャフト電気接点１２９と動作伝達可能に接続される。第二シャフト電気接点１３１は、第一シャフト電気接点１２９と第二シャフト電気接点１３１との間の伝導性材料によって、第一シャフト電気接点１２９と動作伝達可能に接続される。伝導性材料は、上部シャフト１０５ａの内側にある。いくつかの実施例において、伝導性材料は、上部シャフト１０５ａの外側にある。いくつかの実施例において、伝導性材料は、一以上のワイヤを含む。
【００２２】
第一シャフト空気通路１３３は、上部シャフト１０５ａの第一端上にあり、第二シャフト空気通路１３５は、上部シャフト１０５ａの第二端上にある。第二シャフト空気通路１３５は、第一シャフト空気通路１３３と動作伝達可能に接続される。いくつかの実施例において、第二シャフト空気通路１３５は、上部シャフト１０５ａの内側の、チューブ、シャフト、ホース、チャネル、又はいくつかの他の適切な構造によって、第一シャフト空気通路１３３と動作伝達可能に接続される。いくつかの実施例において、第二シャフト空気通路１３５は、上部シャフト１０５ａの外側の、チューブ、シャフト、ホース、チャネル、又はいくつかの他の適切な構造によって、第一シャフト空気通路１３３と動作伝達可能に接続される。
【００２３】
シャフト流体入口１２５、第一シャフト電気接点１２９、及び第一シャフト空気通路１３３を備える第一シャフト連結部１３７は、ハンドル１０１の第二端１１１と結合して、シャフト流体入口１２５をハンドル流体出口１１５と連結し、第一ハンドル電気接点１２９を第二ハンドル電気接点１１９と接続し、第一シャフト空気通路１３３を第二ハンドル空気通路１２３と接続するよう構成される。
【００２４】
いくつかの実施例において、第一シャフト連結部１３７は、ハンドル１０１の第二端１１１内に圧入されるよう構成され、シャフト流体入口１２５、第一シャフト電気接点１２９及び第一シャフト空気通路１３３は、ハンドル１０１の第二端１１１内に備えられる、対応する容器内に挿入される。いくつかの実施例において、第一シャフト連結部１３７は、ハンドル１０１の第二端１１１を受けるよう構成され、シャフト流体入口１２５、第一シャフト電気接点１２９及び第一シャフト空気通路１３３は、ハンドル流体出口１１５、第二ハンドル電気接点１１９及び第二ハンドル空気通路１２３と結合するよう構成される容器である。いくつかの実施例において、第一シャフト連結部１３７は、ラッチ、移動可能なカラー、又は他の適切なロッキング機構によって、ハンドル１０１の第二端１１１と着脱可能に接続される。
【００２５】
シャフト流体出口１２７、第二シャフト電気接点１３１及び第二シャフト空気通路１３５を備える第二シャフト連結部１３９は、付属のアタッチメント１０７の対応する付属の連結部と結合して、流体の、ハンドル１０１から、取付けられた付属のアタッチメント１０７への移動を促進し、取付けられた付属のアタッチメント１０７に電気を供給し、取付けられた付属のアタッチメント１０７の付属の空気通路を、第一ハンドル空気通路１２１に連結するよう構成される。
【００２６】
いくつかの実施例において、上部シャフト１０５ａ又は下部シャフト１０５ｂの一以上は、ハウジング１４３を備える。一以上の第一シャフト空気通路１３３は、第二シャフト空気通路１３５に接続される。シャフト流体入口１２５は、シャフト流体出口１２７に接続される。あるいは第一シャフト電気接点１２９は、ハウジング１４３内の第二シャフト電気接点１３１と接続される。いくつかの実施例において、第一シャフト空気通路１３３は、ハウジング１４３の外側の、パイプ、ホース、又はいくつかの他の適切な構造によって、第二シャフト空気通路１３５と接続される。
【００２７】
いくつかの実施例において、下部シャフト１０５ｂの第一シャフト連結部１３７は、上部シャフト１０５ａの第二シャフト連結部１３９内に圧入されるよう構成され、下部シャフト１０５ｂのシャフト流体入口１２５、下部シャフト１０５ｂの第一シャフト電気接点１２９、及び下部シャフト１０５ｂの第一シャフト空気通路１３３は、上部シャフト１０５ａの第二シャフト連結部１３９内に備えられる、対応する容器内に挿入される。いくつかの実施例において、下部シャフト１０５ｂの第一シャフト連結部１３７は、上部シャフト１０５ａの第二シャフト連結部１３９を受けるよう構成され、下部シャフト１０５ｂのシャフト流体入口１２５、下部シャフト１０５ｂの第一シャフト電気接点１２９、及び下部シャフト１０５ｂの第一シャフト空気通路１３３は、上部シャフト１０５ａのシャフト流体出口１２７、上部シャフト１０５ａの第二シャフト電気接点１３１、及び上部シャフト１０５ａの第二シャフト空気通路１３５と結合するよう構成される容器である。いくつかの実施例において、第二シャフト連結部１３９は、ラッチ、移動可能なカラー、又は他の適切なロッキング機構によって、下部シャフト１０５ｂの第一シャフト連結部１３７に、着脱可能に接続される。
【００２８】
いくつかの実施例において、上部シャフト１０５ａ及び下部シャフト１０５ｂは、１組のシャフト１０５である。いくつかの実施例において、上部シャフト１０５ａ及び下部シャフト１０５ｂは、リンク１４５によって互いに繋がれる。リンク１４５は、ひも、鎖、ロープ、糸、太いゴムひも、又は上部シャフト１０５ａと下部シャフト１０５ｂを互いに着脱可能に接続することを許可するように構成される、いくつかの他の適切な拘束するものを含む。
【００２９】
連結バンドル１０３は、第一ハンドル空気通路１２１と動作伝達可能に接続されるホース１４７と、ハンドル流体入口１１３と動作伝達可能に接続される流体供給ライン１４９と、第一ハンドル電気接点１１７と動作伝達可能に接続される電力供給ライン１５１と、抽出システムカプラー１５３とを備える。抽出システムカプラー１５３は、ホース１４７と動作伝達可能に接続される吸引ポート連結部１５５と、流体供給ライン１４９と動作伝達可能に接続される流体供給連結部１５７と、電力供給ライン１５１と動作伝達可能に接続される電力供給連結部１５９とを備える。
【００３０】
抽出システムカプラー１５３は、空気又は流体の一以上が、ホース１４７を通って、抽出システムカプラー１５３が接続される抽出システム１０８内に、吸引されるのを促進し、接続される抽出システム１０８から、電力供給ライン１５１へ電力を運ぶのを促進するよう構成される。いくつかの実施例において、流体供給連結部１５７及び電力供給連結部１５９は、吸引ポート連結部１５５から離れたプラグ本体１６０内に備えられる。
【００３１】
流体供給ライン１４９及び電力供給ライン１５１は、複数の留め具１６３によって、ホース１４７の外側表面１６１に留められる。各留め具１６３は、ホース１４７、流体供給ライン１４９及び電力供給ライン１５１の回りに巻付くよう構成される。いくつかの実施例において、一以上の留め具１６３は、対応するライン座内に、流体供給ライン１４９及び電力供給ライン１５１を収容するよう構成され、流体供給ライン１４９及び電力供給ライン１５１の各々は、各対応するライン座とホース１４７の外側表面１６１との間にある。いくつかの実施例において、代わりに、又はさらに、留め具１６３、流体供給ライン１４９、電力供給ライン１５１及びホース１４７は、任意のスリーブ１６４によって囲まれ、流体供給ライン１４９、電力供給ライン１５１及びホース１４７を覆い、流体供給ライン１４９、電力供給ライン１５１及びホース１４７を、外部要素又は妨害を伴う関わりから防ぐよう構成される。いくつかの実施例において、流体供給ライン１４９、電力供給ライン１５１及びホース１４７は、スリーブ１６４内で締付けられる。
【００３２】
付属のアタッチメント１０７は、付属の空気通路１６５ａ−１６５ｃ（まとめて「付属の空気通路１６５」と言う）を備える対応する付属の連結部１６４ａ−１６４ｃ（まとめて「付属の連結部１６４」と言う）と、付属の流体連結部１６７ａ−１６７ｃ（まとめて「付属の流体連結部１６７」と言う）と、付属の電気連結部１６９ａ−１６９ｃ（まとめて「付属の電気連結部１６９」と言う）とを備え、上部シャフト１０５ａの第二シャフト連結部１３９、下部シャフト１０５ｂの第二シャフト連結部１３９、又はハンドル１０１の第二端１１１の一以上と結合するよう構成される。付属の連結部１６４は、ハンドル１０１から取付けられた付属のアタッチメント１０７への流体の移送を促進し、取付けられた付属のアタッチメント１０７へ電力を供給し、及び取付けられた付属のアタッチメント１０７の付属の空気通路１６５を、上部シャフト１０５ａ又は下部シャフト１０５ｂの少なくとも１つによって、直接又は間接的に、第一ハンドル空気通路１２１に連結するよう構成される。いくつかの実施例において、付属の連結部１６４は少なくとも１つのガスケットを備える。ガスケットは、付属の空気通路１６５、又は上部シャフト１０５ａの第二シャフト連結部１３９の対応する空気通路又は流体連結部を有する付属の流体連結部１６７、下部シャフト１０５ｂの第二シャフト連結部１３９、又は付属のアタッチメント１０７が取付けられるハンドル１０１の第二端１１１の間の密封を形成するよう構成される。いくつかの実施例において、付属のアタッチメント１０７は、上部シャフト１０５ａの第二シャフト連結部１３９、下部シャフト１０５ｂの第二シャフト連結部１３９、又は付属のアタッチメントが取付けられるハンドル１０１の第二端１１１内に圧入されるよう構成される。
【００３３】
抽出システム１０８は、硬い表面、カーペット、タイル、グラウト材、ガラス、又は他の適切な表面を洗浄するための液体洗浄抽出システムである。抽出システム１０８は、流体供給ポート１７１、電力供給ポート１７３、及び吸引ポート１７５を備える。流体供給ポート１７１及び電力供給ポート１７３は、抽出システムカプラー１５３によって、装置１００に、流体及び電力を供給するよう構成される。流体供給ポート１７１及び電力供給ポート１７３は容器１７７内に備えられ、プラグ本体１６０と結合し、流体供給連結部１５７及び電力供給連結部１５９を各々有する流体供給ポート１７１及び電力供給ポート１７３と動作伝達可能に接続されるよう構成される。
【００３４】
使用において、抽出システム１０８は、流体をハンドル１０１に供給する。トリガー１２４が作動されると、抽出システム１０８によって供給された流体は、ハンドル流体出口１１５、上部シャフト１０５ａのシャフト流体出口１２７、下部シャフト１０５ｂのシャフト流体出口１２７、又は付属のアタッチメント１０７の一以上によって、排出される。例えば、付属のアタッチメント１０７がクリーニングヘッドであれば、クリーニングヘッドは、トリガー１２４の作動に基づいて、クリーニングヘッドによって洗浄される表面上に、流体を放出するよう構成される。
【００３５】
付属のアタッチメント１０７ａは、抽出システム１０８によって供給される流体を、付属のアタッチメント１０７ａの底の反対側の表面上に放出するよう構成されるグラウト材のクリーニングヘッドである。付属のアタッチメント１０７ａは、撹拌器によって、付属のアタッチメント１０７ａの底の反対表面を撹拌し、抽出システム１０８によって提供される吸引力に基づいて、空気、流体又は破片の一以上を、付属のアタッチメント１０７ａの底の反対表面から、付属のアタッチメント１０７ａのノズル内に引抜くよう構成される。抽出システム１０８によって提供される吸引力は、上部シャフト１０５ａ、下部シャフト１０５ｂ、及び付属のアタッチメント１０７ａが取付けられるハンドル１０１の組合せに基づいて、空気、流体又は破片の一以上を、付属のアタッチメント１０７ａのノズルから、シャフトの空気通路又はハンドル空気通路及びホースの少なくとも１つの中に流す。
【００３６】
付属のアタッチメント１０７ｂは、抽出システム１０８によって供給される流体を、付属のアタッチメント１０７ｂの底の反対表面上に放出するよう構成される硬い表面のクリーニングヘッドである。付属のアタッチメント１０７ｂは、撹拌器によって、付属のアタッチメント１０７ｂの底の反対表面を撹拌し、抽出システム１０８によって提供される吸引力に基づいて、空気、流体又は破片の一以上を、付属のアタッチメント１０７ｂの底の反対表面から、付属のアタッチメント１０７ｂのノズル内に引抜くよう構成される。抽出システム１０８によって提供される吸引力は、上部シャフト１０５ａ、下部シャフト１０５ｂ、及び付属のアタッチメント１０７ｂが取付けられるハンドル１０１の組合せに基づいて、空気、流体又は破片の一以上を、付属のアタッチメント１０７ｂのノズルを通って、シャフト空気通路又はハンドル空気通路及びホースの少なくとも１つの中に流す。
【００３７】
付属のアタッチメント１０７ｃは、抽出システム１０８によって供給される流体を、付属のアタッチメント１０７ｃの反対表面上に放出するよう構成される室内装飾材料のクリーニングヘッドである。付属のアタッチメント１０７ｃは、撹拌器によって、付属のアタッチメント１０７ｃの底の反対表面を撹拌し、抽出システム１０８によって提供される吸引力に基づいて、空気、流体又は破片の一以上を、付属のアタッチメント１０７ｃの底の反対表面から、付属のアタッチメント１０７ｃのノズル内に流すよう構成される。抽出システム１０８によって提供される吸引力は、上部シャフト１０５ａ、下部シャフト１０５ｂ、及び付属のアタッチメント１０７ｃが取付けられるハンドル１０１の組合せに基づいて、空気、流体又は破片の一以上を、付属のアタッチメント１０７ｃのノズルから、シャフト空気通路又はハンドル空気通路及びホースの少なくとも１つの中に流す。
【００３８】
いくつかの実施例において、そこに含まれる、又は少なくとも部分的に含まれる一以上のパネルは、ハンドル１０１、上部シャフト１０５ａ、下部シャフト１０５ｂ、付属のアタッチメント１０７ａ、付属のアタッチメント１０７ｂ、又は付属のアタッチメント１０７ｃの一以上の側壁を形成し、かつそれらは、そこに収容される特徴物へのアクセスを容易にするため、取除くことができる。いくつかの実施例において、そこに含まれる、又は少なくとも部分的に含まれる一以上のパネルは、ハンドル１０１、上部シャフト１０５ａ、下部シャフト１０５ｂ、付属のアタッチメント１０７ａ、付属のアタッチメント１０７ｂ、又は付属のアタッチメント１０７ｃの一以上の側壁を形成し、かつそれらは、ユーザが装置１００の一以上の構成要素を修理するために、容易にアクセスすることを促進するため、迅速解放パネルである。
【００３９】
いくつかの実施例において、一以上の迅速解放パネルの少なくとも１つは、一以上のファスナによって、対応するハンドル１０１、上部シャフト１０５ａ、下部シャフト１０５ｂ、付属のアタッチメント１０７ａ、付属のアタッチメント１０７ｂ、又は付属のアタッチメント１０７ｃの他の部分と接続される。いくつかの実施例において、一以上のファスナは、従来のスクリュードライバ、フラットヘッドのスクリュードライバ、フィリップヘッドのスクリュードライバ、六角頭のスクリュードライバ、トルクス（登録商標）ヘッドのスクリュードライバ、又は他の適切なタイプのスクリュードライバヘッドを使用して、締付けおよび解放可能である。いくつかの実施例において、ファスナによって、対応するハンドル１０１、上部シャフト１０５ａ、下部シャフト１０５ｂ、付属のアタッチメント１０７ａ、付属のアタッチメント１０７ｂ、又は付属のアタッチメント１０７ｃの他の部分と接続される全迅速解放パネルは、装置１００の対応する構成要素、及びそこに収容される構成要素への容易なアクセスを促進するため、同じタイプのファスナによって接続される。いくつかの実施例において、一以上の連結ポイントによって、そこに含まれる、又は部分的に含まれる一以上のパネルが、ハンドル１０１、上部シャフト１０５ａ、下部シャフト１０５ｂ、付属のアタッチメント１０７ａ、付属のアタッチメント１０７ｂ、又は付属のアタッチメント１０７ｃの一以上の側壁を形成し、かつそれらは、ねじ付きインサートを伴って並び、ねじ付きインサートを取外さなくても、装置１００の対応する構成要素への繰返しのアクセスを容易にするよう構成されている。
【００４０】
いくつかの実施例において、ハンドル１０１、上部シャフト１０５ａ、下部シャフト１０５ｂ、又は付属のアタッチメント１０７の間の一以上の連結部は、例えば接続される流体連結部及び／又は空気通路の間で、密封を作るよう構成される一以上のガスケットを備える。いくつかの実施例において、ハンドル１０１、上部シャフト１０５ａ、下部シャフト１０５ｂ、又は付属のアタッチメント１０７の間の連結部は、圧入されたアタッチメントを分離するため、接続された構成要素から離れて、ハンドル１０１、上部シャフト１０５ａ、下部シャフト１０５ｂ、又は付属のアタッチメント１０７の少なくとも１つを引っ張ることで分解され得る。
【００４１】
図２は、一以上の実施例に従った、ハンドル２０１の斜視図である。ハンドル２０１は、ハンドル１０１（図１）と関連して説明したのと同様の特徴を備え、参照番号は１００増える。ハンドル２０１は、ハンドル２０１の第一端２０９とハンドル２０１の第二端２１１との間に、グリップガード２０２を備える。グリップガード２０２は、グリップ部２１２から離れている。ハンドル流体入口２１３は、グリップガード２０２によって、ハンドル流体出口２１５と動作伝達可能に接続される。いくつかの実施例において、ハンドル流体出口２１５は、グリップガード２０２によって、ハンドル流体入口２１３と動作伝達可能に接続される。いくつかの実施例において、チューブ、ホース、チャネル、又はハンドル流体出口２１５をハンドル流体入口２１３に動作伝達可能に接続する他の適切な構造は、グリップガード２０２内にある。いくつかの実施例において、流体が流れるチャネルは、グリップガード２０２の一以上の内部側壁によって、少なくとも部分的に定められる。トリガー２２４は、グリップ部２１２とグリップガード２０２との間にある。いくつかの実施例において、トリガー２２４は、付属のアタッチメント１０７（図１）の撹拌器モータを作動させて、抽出システム１０８から撹拌器モータに電力又はシグナルの一以上を伝達させることによって、付属のアタッチメント１０１の撹拌器を移動させるよう構成される。いくつかの実施例において、ハンドル２０１は、付属のアタッチメント１０７（図１）の撹拌器モータで、抽出システム１０８から、撹拌器モータに電力又はシグナルの一以上を伝達させることによって、付属のアタッチメント１０１の撹拌器を移動させるよう構成される。
【００４２】
グリップ部２１２は、外径と内径とを有する。グリップ部２１２の内側側壁は、第二ハンドル空気通路２２３で、第一ハンドル空気通路２２１と動作伝達可能に接続するチャネルの少なくとも一部を定める。いくつかの実施例において、グリップ部２１２の内径は、ホース１４７（図１）の内径と等しい。ホース１４７の内径と等しい内径を有するグリップ部２１２を有することで、空気及び／又は流体が、第一ハンドル空気通路２２１から、例えば、グリップ部２１２内の、ホース、チューブ、シャフト、パイプ無しで、第二ハンドル空気通路２２３及びホース１４７内へ流れることが容易となる。ホース、チューブ、シャフト又はパイプを、グリップ部２１２の内側から排除することで、グリップ部２１２の外径を最小化することが可能となる。最小外径寸法を有するグリップ部２１２は、装置１００（図１）を操作するのに必要なより大きなグリップ部と比較して、例えば、小さな手のユーザが、より快適かつ効果的に操作することが可能となる。いくつかの実施例において、グリップ部２１２の外径は、ホース１４７の外径と等しい。
【００４３】
図３は、一以上の実施例に従った、ハンドル３０１の分解図である。ハンドル３０１は、ハンドル２０１（図２）と関連して説明したのと同様の特徴を備え、参照番号は１００増える。第一ハンドル本体部３０４ａ、第二ハンドル本体部３０４ｂ、及び第三ハンドル本体部３０４ｃは共に、ハンドルのハウジングを形成する。第一ハンドル本体部３０４ａ及び第二ハンドル本体部３０４ｂは各々、グリップガード３０２の各部分を備える。グリップ部３１２は、ハンドルのハウジングから少なくとも部分的に露呈される湾曲したチューブを備える。いくつかの実施例において、グリップ部３１２は、柔軟性材料を含む。
【００４４】
バルブユニットは、空気通路延長部３１４及びバルブ３１６を備える。空気通路延長部３１４は、グリップ部３１２の内側側壁によって定められるチャネルを、第二ハンドル空気通路３２３と動作伝達可能に接続し、第一ハンドル空気通路３２１の、第二ハンドル空気通路３３１との動作伝達可能な接続を促進するよう構成される。
【００４５】
バルブ３１６は、トリガー３２４と接続されるよう構成される。いくつかの実施例において、バルブ３１６は、機械的結合によってトリガー３２４に接続される。いくつかの実施例において、バルブ３１６はトリガー３２４と動作可能に接続される。トリガー３２４の作動によって、電気信号がバルブ３１６へ伝達され、バルブ３１６は開放又は閉鎖位置に置かれる。
【００４６】
ハンドル後端キャップ３１８は、第二ハンドル空気通路３２３を定める一以上の側壁を備える。ハンドル後端キャップ３１８は、第一ハンドル本体部３０４ａ、第二ハンドル本体部３０４ｂ、又は第三ハンドル本体部３０４ｃの一以上に取付けられるよう構成される。ハンドル後端キャップ３１８は、ハンドル流体出口３１５及び第二ハンドル電気接点３１９が到達できる一以上の側壁によって定められる開口を有する。流体カプラー３２０は、ハンドル流体入口３１３と動作伝達可能に接続され、ハンドル流体入口３１３から、グリップガード３０２への流体の流れを促進するよう構成されるので、流体は、グリップガード３０２、又はホース、チューブ、チャネル、又はハンドル流体入口３１３をハンドル流体出口３１５に動作伝達可能に接続するグリップガード３０２内に収容される他の適切な構造内に、流れる。
【００４７】
ホースコネクタ３２２は、ハンドル３０１の第二端に取付けられる。ホースコネクタ３２２は、ハンドル３０１の第一端に取付けられ、第一ハンドル空気通路３２１と動作伝達可能に接続されるホース１４７（図１）のようなホースに巻付くよう構成される。ホースコネクタ３２２は、ハンドル３０１と接続されたホースの端を支持し、ハンドル３０１の他方又は取付けられたホース１４７に対して、ハンドル３０１又は取付けられたホース１４７の移動によって生じる、ホース１４７上のストレス、又は第一ハンドル空気通路２２１と取付けられたホース１４７との間の連結部のストレスを最小化するよう構成される。
【００４８】
図４は、一以上の実施例に従った、シャフト４０５の分解図である。シャフト４０５は、上部シャフト１０５ａ（図１）及び下部シャフト１０５ｂ（図１）と類似しており、参照番号は３００増える。シャフト４０５は、上部シャフト１０５ａ又は下部シャフト１０５ｂの一以上として使用され得る。いくつかの実施例において、装置１００（図１）は、複数のシャフト４０５を備える。
【００４９】
シャフト４０５は、ハンドル１０１（図１）又は別のシャフト４０５に接続されるよう構成される第一端４０２、及び付属のアタッチメント１０７（図１）又は別のシャフト４０５に接続されるよう構成される第二端４０４を備える。
【００５０】
シャフト４０５は、シャフト流体入口４２５及びシャフト流体出口４２７を備える。シャフト流体出口４２７は、シャフト流体入口４２５と動作伝達可能に接続される。いくつかの実施例において、シャフト流体出口４２７は、チューブ、シャフト、ホース、チャネル、又はいくつかの他の適切な構造４２６によって、シャフト流体入口４２５と動作伝達可能に接続される。
【００５１】
第一シャフト電気接点４２９は、シャフト４０５の第一端４０２上にある。第二シャフト電気接点４３１は、シャフト４０５の第二端４０４上にある。第二シャフト電気接点４３１は、第一シャフト電気接点４２９と動作伝達可能に接続される。第二シャフト電気接点４３１は、第一シャフト電気接点４２９と第二シャフト電気接点４３１との間の伝導性材料４３０によって、第一シャフト電気接点４２９と動作伝達可能に接続される。
【００５２】
第一シャフト空気通路４３３は、シャフト４０５の第一端４０２上にあり、第二シャフト空気通路４３５は、シャフト４０５の第二端４０４上にある。第二シャフト空気通路４３５は、第一シャフト空気通路４３３と動作伝達可能に接続される。第二シャフト空気通路４３５は、チューブ４３８によって、第一シャフト空気通路４３３と動作伝達可能に接続される。チューブ４３８は金属材料を含む。いくつかの実施例において、チューブ４３８は、金属、ポリマー、又はいくつかの他の適切な材料を含む。いくつかの実施例において、チューブ４３８の第一端４０２又は第二端４０４は、ハンドル１０１、別のシャフト４０５又は付属のアタッチメント６０１と接続されるよう構成される少なくとも１つの先細部を備える。いくつかの実施例において、少なくとも１つの先細部は、すえ込み法によって、チューブ４３８の残余部に取付けられ、チューブ４３８内のリベット、ファスナ、又は滑らかでない部分を取除き、チューブ４３８の詰りを防ぐ。
【００５３】
シャフト流体入口４２５、第一シャフト電気接点４２９及び第一シャフト空気通路４３３を備える第一シャフト連結部４３７は、ハンドル１０１（図１）の第二端１１１（図１）と結合し、シャフト流体入口４２５をハンドル流体出口１１５（図１）と接続し、第一シャフト電気接点４２９を第二ハンドル電気接点１１９（図１）と接続し、第一シャフト空気通路４３３を第二ハンドル空気通路１２３（図１）と接続するよう構成される。組立て状態において、チューブ４３８の少なくとも一部は、シャフト流体入口４２５又は第一シャフト電気接点４２９の少なくとも１つよりも、シャフト４０５の中心からさらに離れて延びる。
【００５４】
いくつかの実施例において、第一シャフト連結部４３７は、ハンドル１０１の第二端１１１内に圧入されるよう構成され、シャフト流体入口４２５、第一シャフト電気接点４２９及び第一シャフト空気通路４３３は、ハンドル１０１の第二端１１１内に備えられる対応する容器内に挿入される。
【００５５】
シャフト流体出口４２７、第二シャフト電気接点４３１及び第二シャフト空気通路４３５を備える第二シャフト連結部４３９は、付属のアタッチメント１０７の対応する付属の連結部と結合し、流体を、ハンドル１０１から、取付けられた付属のアタッチメント１０７へと運ぶのを促進し、電気を、取付けられた付属のアタッチメント１０７へ供給し、取付けられた付属のアタッチメント１０７の付属の空気通路を、第一ハンドル空気通路１２１と連結するよう構成される。いくつかの実施例において、別のシャフト４０５の第一シャフト連結部４３７は、第二シャフト連結部４３９内に圧入されるよう構成され、別のシャフト４０５のシャフト流体入口４２５、別のシャフト４０５の第一シャフト電気接点４２９、及び別のシャフト４０５の第一シャフト空気通路４３３は、シャフト４０５の第二シャフト連結部４３９内に備えられる対応する容器内に挿入される。いくつかの実施例において、付属のアタッチメント１０７は、第二シャフト連結部４３９内に圧入されるよう構成される。
【００５６】
シャフトのハウジングは、ハウジング部４４３ａ−４４３ｇ（まとめて「ハウジング４４３」と言う）を備える。一以上の第一シャフト空気通路４３３は、第二シャフト空気通路４３５と接続される。シャフト流体入口４２５は、シャフト流体出口４２７と接続される。又は第一シャフト電気接点４２９は、ハウジング４４３内の第二シャフト電気接点４３１と接続される。
【００５７】
図５は、一以上の実施例に従った、留め具５６３の略図である。留め具５６３は、装置１００（図１）の留め具１６３（図１）として使用可能である。留め具５６３は、ホース１４７（図１）の回りを巻付くように構成される留め具本体５６４を備える。いくつかの実施例において、留め具本体５６４は、留め具本体５６４から離れて延びる複数の突起部５６６を備える鋳造のポリマー材料を含む。いくつかの実施例において、ホース１４７が、例えばリブ型の柔軟性のあるホースである場合、突起部５６６は、留め具５６３を適所で保持するため、ホースの隣接するリブの間で少なくとも部分的に固定するよう構成される。
【００５８】
留め具５６３は、ライン座５６８及び５７０を備える。ライン座５６８及び５７０は、流体供給ライン１４９（図１）及び電力供給ライン１５１（図１）を収容するよう構成される。いくつかの実施例において、ライン座５６８及び５７０は、等しい大きさである。いくつかの実施例において、ライン座５６８及び５７０は、対応するライン座によって収容される流体供給ライン１４９又は電力供給ライン１５１の外径に基づいて、異なる大きさである。留め具本体５６４の一部は、留め具５６３がホース１４７の回りに巻付けられる状態において、ホース１４７の対応する各ライン座と外側表面１６１（図１）との間にある。いくつかの実施例において、留め具５６３は、留め具５６３がホース１４７の回りに巻付けられる状態において、対応する各ライン座とホース１４７の外側表面１６１との間に、留め具本体５６４の一部を有さない。いくつかの実施例において、流体供給ライン１４９及び電力供給ライン１５１は、ライン座５６８又はライン座５７０と、ホース１４７の外側表面１６１との間で挟まれる。いくつかの実施例において、留め具本体５６４は、ライン座５６８又はライン座５７０と並ぶスリット５７２を備える。スリット５７２は、流体供給ライン１４９又は電力供給ラインが、対応するライン座５６８又は５７０内に挿入され得るように、留め具本体５６４が開放されることを可能にする。
【００５９】
ロッキングタブ５７４は、突起部５６６の反対方向に、留め具本体５６４から離れて延びる。ロッキングタブ５７４は、留め具本体５６４の第一端上にある。留め具本体５６４の一以上の側壁によって定められる開口５７６は、第一端の反対の留め具本体５６４の第二端上にある。ロッキングタブ５７４は、開口５７６と係合するよう構成され、留め具本体５６４は輪状である。
【００６０】
図６は、一以上の実施例に従った、付属のアタッチメント６０１の分解図である。付属のアタッチメント６０１は、ハンドル１０１（図１）、上部シャフト１０５ａ（図１）、又は下部シャフト１０５ｂ（図１）の一以上による抽出システム１０８（図１）のように、抽出システムに動作伝達可能に接続されるよう構成されるクリーニングヘッドである。付属のアタッチメント６０１は、付属のアタッチメント１０７ａ（図１）として使用可能である。いくつかの実施例において、付属のアタッチメント６０１は、グラウト材のクリーニングヘッドである。
【００６１】
付属のアタッチメント６０１は、付属の空気通路６０５、付属の流体連結部６０７、及び付属の電気連結部６０９を備える付属の連結部６０３を備える。付属の連結部６０３は、上部シャフト１０５ａの第二シャフト連結部１３９（図１）、下部シャフト１０５ｂの第二シャフト連結部１３９、又はハンドル１０１の第二端１１１（図１）の一以上と結合するよう構成される。
【００６２】
付属の連結部６０３は、流体をハンドル１０１から付属の流体連結部６０７へと運ぶのを容易にし、電気を付属の電気連結部６０９へ供給し、上部シャフト１０５ａ又は下部シャフト１０５ｂの少なくとも１つによって、直接又は間接的に、付属の空気通路６０５を、第一ハンドル空気通路１２１と連結するよう構成される。
【００６３】
付属のアタッチメント６０１は、本体部６１１ａ、６１１ｂ及び６１１ｃ（まとめて「付属の本体６１１」と言う）を備える。前部６１３ａ及び後部６１３ｂを備えるノズル６１３は、付属の本体６１１の前面上にあるよう構成される。付属の空気通路６０５は、チューブ、シャフト、ホース、チャネル、又はいくつかの他の適切な構造６１２の一以上によって、付属の本体６１１を通って、ノズル６１３に動作伝達可能に接続される。いくつかの実施例において、付属の空気通路６０５は、チューブ、シャフト、ホース、チャネル、又は付属の本体６１１の外側のいくつかの他の適切な構造の一以上によって、ノズル６１３に動作伝達可能に接続される。いくつかの実施例において、ノズル６１３は、付属のアタッチメント６０１が第一方向に移動される場合、流体又は破片がノズル６１３から入るのを妨げ、付属のアタッチメント６０１が、第一方向とは反対の第二方向に移動される場合、流体又は破片がノズル６１３から入るのを許可するよう構成された、柔軟性のあるチップ又は圧搾部を備える。例えば、本体６０１が第一方向に移動される場合、柔軟性のあるチップは、表面上で、流体及び／又は破片を集めたり又は押すのを促進するよう構成される。本体６０１が第二方向に移動される場合、柔軟性のあるチップは、流体及び／又は破片がノズル６１３内に入るのを促進するよう構成される。
【００６４】
撹拌器６１５及び撹拌器モータ６１７は、付属の本体６１１内に収容されるよう構成される。撹拌器６１５は、ブラシ、スピンブラシ、回転ブラシ、ブレード、又はいくつかの他の適切な構造の一以上を含む。いくつかの実施例において、撹拌器６１５は、洗浄、交換又は修理のため、付属の本体６１１から分離することが可能である。撹拌器モータ６１７は、付属の電気連結部６０９と動作伝達可能に接続される。撹拌器モータ６１７は、第一ハンドル電気接点１１７（図１）、上部シャフト１０５ａの第二シャフト電気接点１３１、又は下部シャフト１０５ｂの第二シャフト電気接点１３１の一以上によって受ける電気に基づいて、撹拌器６１５を移動させる。いくつかの実施例において、撹拌器モータ６１７は、撹拌器６１５を、ノズル６１３の方向に移動させるよう構成される。いくつかの実施例において、撹拌器モータ６１７は、撹拌器６１５を、ノズル６１３から離れる方向に移動させるよう構成される。
【００６５】
いくつかの実施例において、撹拌器モータ６１７は、撹拌器６１５が動くべき時に、撹拌器６１５が故障していることを示して、撹拌器６１５が動いていないかどうかを検出するよう構成される少なくとも１つのセンサを備える。故障している場合、撹拌器モータ６１７は、撹拌器モータ６１７へのダメージを防ぐため、電源を切るよう構成される。いくつかの実施例において、撹拌器モータ６１７は、撹拌器６１７の回転速度を検出するよう構成されるセンサと、撹拌器モータ６１７で、撹拌器６１５の回転速度を速めたり減じたりさせるよう構成されるプロセッサとを備える。例えば、撹拌器モータ６１７が、撹拌器６１７を、所定の１分あたりの回転数（ＲＰＭ）で回転させ、撹拌器６１５がＲＰＭの所定の数より少ない速度で回転していることを撹拌器モータ６１７が検出すると、いくつかの実施例において、撹拌器モータ６１７は、所定の回転速度まで撹拌器６１５のＲＰＭを高めるよう構成される。
【００６６】
付属の本体部６１１ｃは、付属のアタッチメント６０１の底部上にあり、撹拌器６１５の一部が露呈される開口を備える。撹拌器６１５の一部分以上は、付属の本体部６１１ｃの開口を通って延びる。複数の車輪６１９は、付属の本体部６１１ｃに取付けられる。車輪６１９は、付属の本体部６１１ｃに位置し、撹拌器６１５は、開口内を自由に移動し、車輪６１９が接触する付属の本体部６１１ｃの反対表面と自由に接触する。車輪６１９は、車輪６１９が接触する表面上の付属のアタッチメント６０１の動きを促進するよう構成される。
【００６７】
いくつかの実施例において、車輪６１９及び撹拌器６１５は対応して、付属の本体部６１１ｃの反対表面と撹拌器６１５との間の過度な接触によって生じる撹拌器６１５上の引きずりを最小限にするような大きさにされる。いくつかの実施例において、車輪６１９及び撹拌器６１５は対応して、付属のアタッチメント６０１が洗浄するよう構成されるグラウトライン内の、撹拌器６１５の深さを最大限にするような大きさにされる。例えば、従来のタイルの床が、グラウトラインによって分離され、グラウトラインが、グラウトラインによって分離されるタイルの表面に対して、平均的な深さを有している場合、車輪６１９は、タイル及びグラウトライン上の付属の本体部６１１ｃを支持するよう構成される。撹拌器は、グラウトライン及び／又は付属の本体部６１１ｃの反対のタイル表面との間の過度な接触により生じる撹拌器６１５上の引きずりを最小限にする間、グラウトライン内に深く貫通することを達成するため、グラウトラインと接触するよう構成される。撹拌器は、グラウトライン及び／又はグラウトラインによって分離されるタイルの表面から、破片をはずすよう構成される。
【００６８】
付属の流体出口６２１は、付属の本体部６１１ｃによって収容されるよう構成され、付属の流体出口６２１は、上部シャフト１０５ａの第二シャフト連結部１３９、下部シャフト１０５ｂの第二シャフト連結部１３９、又はハンドル１０１の第二端１１１の一以上によって、付属の流体連結部６０７から受取る流体を放出するよう位置する。いくつかの実施例において、付属の流体出口６２１は、付属のアタッチメント６０１の他の構成要素を取除くことなく、付属のアタッチメント６０１から取外し可能なスプレーチップを備える。いくつかの実施例において、付属の流体出口６２１のスプレーチップは、付属の流体出口６２１のスプレーチップが、付属の本体部６１１ｃと相互作用するよう構成される、４分の１回転の固定システムによって、付属の本体部６１１ｃに取付けられる。いくつかの実施例において、付属の本体部６１１ｃは、付属の流体出口６２１と結合するよう構成されるねじ切部を備える。いくつかの実施例において、付属の流体出口６２１は、付属の流体連結部６０７から受けた流体を、付属の流体出口６２１の反対表面上に放出する位置内の、付属の本体６１１の外側表面上に位置する。いくつかの実施例において、付属の流体出口６２１は、車輪６１９が接触する表面上に、流体を放出するよう構成される。いくつかの実施例において、付属の流体出口６２１は、ノズル６１３の反対側の付属の本体部６１１ｃの側面上に位置し、撹拌器６１５は、付属の流体出口６２１とノズル６１３との間にある。いくつかの実施例において、付属の流体出口６２１は、付属の本体部６１１ｃの反対表面上に、洗浄流体を噴射するよう構成される。付属のアタッチメント６０１が、撹拌器６１５から、付属のアタッチメント６０１の後部へと延びる方向に移動されると同時に、洗浄流体が噴射されると、付属の流体出口６２１は、タイル間のグラウトライン内に少なくとも部分的に向けられることが可能な集中パスに沿って、洗浄流体を放出する。
【００６９】
付属の連結部６０３は、付属のアタッチメント６０１のネック部６２３上に位置する。いくつかの実施例において、付属のアタッチメント６０１のネック部６２３は、ネック部６２３が軸回りを回転可能なように、ヒンジ留めされる。いくつかの実施例において、ネック部６２３は柔軟性のあるジョイントを備え、付属の流体連結部が、軸回りの回転よりも、付属の本体６１１に対して、より大きな自由度で移動可能である。いくつかの実施例において、ネック部６２３の柔軟性は、ユーザが付属のアタッチメント６０１を効果的に操作する能力を増加させる。
【００７０】
使用において、付属のアタッチメント６０１は、抽出システム１０８によって供給される流体を、付属の本体部６１１ｃの反対表面上に放出するよう構成される。撹拌器６１５は、付属の本体部６１１ｃの反対表面に対して、移動するよう構成される。ノズル６１３は、付属の本体部６１１ｃの反対表面と接触、もしくは少なくとも妨害するよう構成され、空気、流体又は破片の一以上が、抽出システム１０８によって提供される吸引力に基づいて、付属の本体部６１１ｃの反対表面から、ノズル６１３内に引抜かれる。抽出システム１０８によって提供される吸引力は、空気、流体及び／又は破片を、上部シャフト１０５ａ、下部シャフト１０５ｂ、及び付属のアタッチメント６０１が取付けられるハンドル１０１の組合せに基づいて、ノズル６１３を通って、シャフト空気通路、又はハンドル空気通路、及びホースの少なくとも１つの中に引抜く。
【００７１】
いくつかの実施例において、撹拌器モータ６１７は、付属のアタッチメント６０１の移動方向に基づいて、撹拌器６１５を、ノズル６１３へ向かって、又はノズル６１３から離れて回転させるよう構成される。いくつかの実施例において、付属の流体出口６２１は、洗浄流体を、付属の本体部６１１ｃの反対表面上に、放出するよう構成される。付属のアタッチメント６０１が、前方向に移動しながら、洗浄流体が表面上に放出された後、付属のアタッチメント６０１は、表面を撹拌する前に、表面を事前処理するため、後方向に移動され、空気、流体又は破片の一以上が、付属の本体部６１１ｃの反対表面からノズル６１３内に引抜かれる。
【００７２】
図７は、一以上の実施例に従った、付属のアタッチメント７０１の分解図である。付属のアタッチメント７０１は、ハンドル１０１（図１）、上部シャフト１０５ａ（図１）、又は下部シャフト１０５ｂ（図１）の一以上によって、抽出システム１０８（図１）のように、抽出システムと動作伝達可能に接続されるよう構成されるクリーニングヘッドである。付属のアタッチメント７０１は、付属のアタッチメント１０７ｂ（図１）として使用可能である。付属のアタッチメント７０１は、硬い表面のクリーニングヘッドである。
【００７３】
付属のアタッチメント７０１は、付属の空気通路７０１、付属の流体連結部７０７、及び付属の電気連結部７０９を備える付属の連結部７０３を備える。付属の連結部７０３は、上部シャフト１０５ａの第二シャフト連結部１３９（図１）、下部シャフト１０５ｂの第二シャフト連結部１３９、又はハンドル１０１の第二端１１１（図１）の一以上と結合するよう構成される。
【００７４】
付属の連結部７０３は、流体の、ハンドル１０１から付属の流体連結部７０７への移動を促進し、付属の電気連結部７０９へ電力を供給し、付属の空気通路７０５を、上部シャフト１０５ａ又は下部シャフト１０５ｂの少なくとも１つによって、直接又は間接的に、第一ハンドル空気通路１２１と連結するよう構成される。
【００７５】
付属のアタッチメント７０１は、付属の本体部７１１ａ及び７１１ｂ（まとめて「付属本体７１１」と言う）を備える。ノズル７１３は、付属本体７１１の前面上にあるよう構成される。付属の空気通路７０５は、チューブ、シャフト、ホース、チャネル、又はいくつかの他の適切な構造７１２の一以上によって、付属本体７１１を通って、ノズル７１３と動作伝達可能に接続される。いくつかの実施例において、付属の空気通路７０５は、チューブ、シャフト、ホース、チャネル、又は付属本体７１１の外側のいくつかの他の適切な構造の一以上によって、ノズル７１３と動作伝達可能に接続される。いくつかの実施例において、ノズル７１３は、付属のアタッチメント７０１が第一方向に移動される場合、流体又は破片がノズル７１３から入るのを妨げ、付属のアタッチメント６０１が、第一方向とは反対の第二方向に移動される場合、流体又は破片がノズル７１３から入るのを許可するよう構成された、柔軟性のあるチップ又は圧搾部を備える。例えば、本体７０１が第一方向に移動される場合、柔軟性のあるチップは、表面上で、流体及び／又は破片を集めたり又は押すのを促進するよう構成される。本体７０１が第二方向に移動される場合、柔軟性のあるチップは、流体及び／又は破片がノズル７１３内に入るのを促進するよう構成される。
【００７６】
撹拌器７１５及び撹拌器モータ７１７は、付属本体７１１内に収容されるよう構成される。撹拌器７１５は、ブラシ、スピンブラシ、回転ブラシ、ブレード、又はいくつかの他の適切な構造の一以上を含む。いくつかの実施例において、撹拌器７１５は、洗浄、交換又は修理のため、付属本体７１１から取外し可能である。撹拌器モータ７１７は、付属の電気連結部７０９と動作伝達可能に接続される。撹拌器モータ７１７は、第一ハンドル電気接点１１７（図１）、上部シャフト１０５ａの第二シャフト電気接点、又は下部シャフト１０５ｂの第二シャフト電気接点の一以上によって受ける電気に基づいて、撹拌器７１５を移動させるよう構成される。いくつかの実施例において、撹拌器モータ７１７は、撹拌器７１５をノズル７１３へ向かう方向に移動させるよう構成される。いくつかの実施例において、撹拌器モータ７１７は、撹拌器７１５を、ノズル７１３から離れる方向に移動させるよう構成される。
【００７７】
いくつかの実施例において、撹拌器モータ７１７は、撹拌器７１５が動くべき時に、撹拌器７１５が故障していることを示して、撹拌器７１５が動いていないかどうかを検出するよう構成される少なくとも１つのセンサを備える。故障している場合、撹拌器モータ７１７は、撹拌器モータ７１７へのダメージを防ぐため、電源を切るよう構成される。いくつかの実施例において、撹拌器モータ７１７は、撹拌器７１７の回転速度を検出するよう構成されるセンサと、撹拌器モータ７１７で、撹拌器７１５の回転速度を速めたり減じたりさせるよう構成されるプロセッサとを備える。例えば、撹拌器モータ７１７が、撹拌器７１７を、所定の１分あたりの回転数（ＲＰＭ）で回転させ、撹拌器７１５がＲＰＭの所定の数より少ない速度で回転していることを撹拌器モータ７１７が検出すると、いくつかの実施例において、撹拌器モータ６１７は、所定の回転速度まで撹拌器７１５のＲＰＭを高めるよう構成される。
【００７８】
付属の本体部７１１ｂは、付属のアタッチメント７０１の底面上にあり、撹拌器７１５の一部が露呈される開口を備える。撹拌器７１５の一部以上は、付属の本体部７１１ｂ内の開口を通って延びる。複数の車輪７１９は、付属の本体部７１１ｂに取付けられる。車輪７１９は、付属の本体部７１１ｂ上に位置し、撹拌器７１５は、開口内を自由に移動でき、車輪７１９が接触する付属の本体部７１１ｂの反対表面と自由に接触することができる。車輪７１９は、車輪７１９が接触する表面上で、付属のアタッチメント７０１の動きを促進するよう構成される。
【００７９】
付属の流体出口７２１は、付属の本体部７１１ｂによって収容されるよう構成され、付属の流体出口７２１は、上部シャフト１０５ａの第二シャフト連結部１３９、下部シャフト１０５ｂの第二シャフト連結部１３９、又はハンドル１０１の第二端１１１の一以上によって、付属の流体連結部７０７から受ける流体を放出するよう位置する。いくつかの実施例において、付属の流体出口７２１は、付属のアタッチメント７０１の他の構成要素を取除くことなく、付属のアタッチメント７０１から取除かれ得るスプレーチップを備える。いくつかの実施例において、付属の流体出口７２１のスプレーチップは、４分の１回転の固定システムによって、付属の本体部７１１ｂに取付けられ、それにより、付属の流体出口７２１は、付属の本体部７１１ｂと相互作用するよう構成される。いくつかの実施例において、付属の本体部７１１ｂは、付属の流体出口７２１のスプレーチップと結合するよう構成されるねじ切部を備える。いくつかの実施例において、付属の流体出口７２１は、付属の流体連結部７０７から受ける流体を、付属の流体出口７２１の反対表面上に放出する位置で、付属の本体７１１の外側表面上に位置する。いくつかの実施例において、付属の流体出口７２１は、車輪７１９が接触する表面上に、流体を放出するよう構成される。いくつかの実施例において、付属の流体出口７２１は、ノズル７１３の反対側の付属の本体部７１１ｂの側面上に位置し、撹拌器７１５は、付属の流体出口７２１とノズル７１３との間にある。いくつかの実施例において、付属の流体出口７２１は、付属の本体部７１１ｂの反対表面上に、洗浄流体を噴射するよう構成される。付属のアタッチメント７０１が、撹拌器７１５から、付属のアタッチメント７０１の後部に向かって延びる方向に移動されると同時に、洗浄流体が噴射されると、付属の流体出口７２１は、付属のアタッチメント６０１（図６）が流体を放出する集中パスよりも幅広いパスに沿って、洗浄流体を放出する。洗浄流体が、付属の本体部７１１ｂの反対表面の、集中パスよりも広い領域上に、付属の流体出口７２１によって向けられ、付属のアタッチメント６０１は噴出するよう構成される。
【００８０】
付属の連結部７０３は、付属のアタッチメント７０１のネック部７２３上に位置する。いくつかの実施例において、付属のアタッチメント７０１のネック部７２３は、ネック部７２３が軸回りを回転可能なようにヒンジ留めされる。いくつかの実施例において、ネック部７２３は、柔軟性のあるジョイントを備えるよう構成され、付属の流体連結部は、軸回りの回転よりも、付属の本体７１１に対して、より自由度が大きく移動できる。いくつかの実施例において、ネック部６２３の柔軟性は、ユーザが付属のアタッチメント６０１を効果的に操作する能力を増加させる。
【００８１】
いくつかの実施例において、一以上の側面ブラシ７２５が備えられる。側面ブラシ７２５は、固定される。いくつかの実施例において、側面ブラシ７２５は、撹拌器モータ７１７によって動かされるよう構成される。
【００８２】
使用において、付属のアタッチメント７０１は、抽出システム１０８によって供給される流体を、付属の本体部７１１ｂの反対表面上に放出するよう構成される。撹拌器７１５は、付属の本体部７１１ｂの反対表面に関して移動するよう構成される。ノズル７１３は、付属の本体部７１１ｂの反対表面と接触、もしくは少なくとも妨害するよう構成され、空気、流体又は破片の一以上が、抽出システム１０８によって提供される吸引力に基づいて、付属の本体部７１１ｂの反対表面から、ノズル７１３内に引抜かれる。抽出システム１０８によって提供される吸引力は、空気、流体及び／又は破片を、上部シャフト１０５ａ、下部シャフト１０５、及び付属のアタッチメント７０１が取付けられるハンドル１０１の組合せに基づいて、ノズル７１３を通って、シャフト空気通路、又はハンドル空気通路、及びホースの少なくとも１つの中に引抜く。
【００８３】
いくつかの実施例において、撹拌器モータ７１７は、撹拌器７１５を、付属のアタッチメント７０１の移動方向に基づいて、ノズル７１３へ向かう、又はノズル７１３から離れて回転させるよう構成される。付属の流体出口７２１は、洗浄流体を、付属の本体部７１１ｂの反対表面上に、放出するよう構成される。付属のアタッチメント７０１が、前方向に移動しながら、洗浄流体が表面上に放出された後、付属のアタッチメント７０１は、表面を撹拌する前に、表面を事前処理するため、後方向に移動され、空気、流体又は破片の一以上が、付属の本体部７１１ｂの反対表面からノズル７１３内に引抜かれる。
【００８４】
図８は、一以上の実施例に従った、付属のアタッチメント８０１の分解図である。付属のアタッチメント８０１は、ハンドル１０１（図１）、上部シャフト１０５ａ（図１）、又は下部シャフト１０５ｂ（図１）の一以上による抽出システム１０８（図１）のような、抽出システムに動作伝達可能に接続されるよう構成されるクリーニングヘッドである。付属のアタッチメント８０１は、付属のアタッチメント１０７ｃ（図１）として使用可能である。付属のアタッチメント８０１は、室内装飾材料のクリーニングヘッドである。
【００８５】
付属のアタッチメント８０１は、付属の空気通路８０５、付属の流体連結部８０７及び付属の電気連結部８０９を備える付属の連結部８０３を備える。付属の連結部８０３は、上部シャフト１０５ａの第二シャフト連結部１３９（図１）、下部シャフト１０５ｂの第二シャフト連結部１３９、又はハンドル１０１の第二端１１１の一以上と結合するよう構成される。
【００８６】
付属の連結部８０３は、流体の、ハンドル１０１から付属の流体連結部８０７への移動を促進し、付属の電気連結部８０９へ電気を供給し、付属の空気通路８０５を、上部シャフト１０５ａ又は下部シャフト１０５ｂの少なくとも１つによって、直接又は間接的に、第一ハンドル空気通路１２１へ連結するよう構成される。
【００８７】
付属のアタッチメント８０１は、付属の本体部８１１ａ、８１１ｂ、８１１ｃ及び８１１ｄ（まとめて「付属本体８１１」と言う）を備える。前部８１３ａ及び後部８１３ｂを備えるノズル８１３は、付属本体８１１の前面上にあるよう構成される。付属の空気通路８０５は、チューブ、シャフト、ホース、チャネル、又はいくつかの他の適切な構造８１２の一以上によって、付属本体８１１を通って、ノズル８１３に動作伝達可能に接続される。いくつかの実施例において、付属の空気通路８０５は、チューブ、シャフト、ホース、又は付属本体８１１の外側のいくつかの他の適切な構造の一以上によって、ノズル８１３に動作伝達可能に接続される。
【００８８】
撹拌器８１５及び撹拌器モータ８１７は、付属本体８１１内に収容されるよう構成される。撹拌器８１５は、ブラシ、スピンブラシ、回転ブラシ、ブレード、又はいくつかの他の適切な構造の一以上を含む。いくつかの実施例において、撹拌器８１５は、洗浄、交換又は修理のため、付属の本体８１１から取外し可能である。撹拌器モータ８１７は、付属の電気連結部８０９に動作伝達可能に接続される。撹拌器モータ８１７は、第一ハンドル電気接点１１７（図１）、上部シャフト１０５ａの第二シャフト電気接点、又は下部シャフト１０５ｂの第二シャフト電気接点の一以上によって受ける電気に基づいて、撹拌器８１５を移動させるよう構成される。いくつかの実施例において、撹拌器モータ８１７は、撹拌器８１５を、ノズル８１３へ向かう方向に移動させるよう構成される。いくつかの実施例において、撹拌器モータ８１７は、撹拌器８１５をノズル８１３から離れる方向へ移動させるよう構成される。
【００８９】
いくつかの実施例において、撹拌器モータ８１７は、撹拌器８１５が動くべき時に、撹拌器８１５が故障していることを示して、撹拌器８１５が動いていないかどうかを検出するよう構成される少なくとも１つのセンサを備える。故障している場合、撹拌器モータ８１７は、撹拌器モータ８１７へのダメージを防ぐため、電源を切るよう構成される。いくつかの実施例において、撹拌器モータ８１７は、撹拌器８１７の回転速度を検出するよう構成されるセンサと、撹拌器モータ８１７で、撹拌器８１５の回転速度を速めたり減じたりさせるよう構成されるプロセッサとを備える。例えば、撹拌器モータ８１７が、撹拌器８１７を、所定の１分あたりの回転数（ＲＰＭ）で回転させ、撹拌器８１５がＲＰＭの所定の数より少ない速度で回転していることを撹拌器モータ８１７が検出すると、いくつかの実施例において、撹拌器モータ８１７は、所定の回転速度まで撹拌器８１５のＲＰＭを高めるよう構成される。
【００９０】
付属の本体部８１１ｃは、付属のアタッチメント８０１の底面上にあり、撹拌器８１５の一部が露呈される開口を備える。撹拌器８１５の一部以上は、付属の本体部８１１ｃ内の開口を通って延びる。いくつかの実施例において、前面の固定ブラシ８１９ａは、撹拌器８１５とノズル８１３との間の付属の本体部８１１ｃ上に位置する。いくつかの実施例において、後ろの固定ブラシ８１９ｂは、撹拌器８１５と、付属のアタッチメント８１０１の後面との間の付属の本体部８０１ｃ上に位置する。
【００９１】
付属の流体出口８２１は、付属の本体部８１１ｃによって収容されるよう構成され、付属の流体出口８２１は、上部シャフト１０５ａの第二シャフト連結部１３９、下部シャフト１０５ｂの第二シャフト連結部１３９、又はハンドル１０１の第二端１１１の一以上によって、付属の流体連結部８０７から受ける流体を放出するよう位置する。いくつかの実施例において、付属の流体連結部８２１は、付属の流体連結部８０７から受ける流体を、付属の流体出口８２１の反対表面上に放出する位置における、付属の本体８１１の外側表面上に位置する。いくつかの実施例において、付属の流体出口８２１は、付属のアタッチメント８０１の他の構成要素を取除くことなく、付属のアタッチメント８０１から取除くことが可能なスプレーチップを備える。いくつかの実施例において、付属の流体出口８２１のスプレーチップは、４分の１回転の固定システムによって、付属の本体部８１１ｃに取付けられ、それにより、付属の流体出口８２１のスプレーチップは、付属の本体部８１１ｃと相互作用するよう構成される。いくつかの実施例において、付属の本体部８１１ｃは、付属の流体出口８２１のスプレーチップと結合するよう構成されるねじ切部を備える。
【００９２】
使用において、付属のアタッチメント８０１は、抽出システム１０８によって供給される流体を、付属の本体部８１１ｃの反対表面上に放出するよう構成される。撹拌器８１５は、付属の本体部８１１ｃの反対表面に関して移動するよう構成される。ノズル８１３は、付属の本体部８１１ｃの反対表面と接触、もしくは少なくとも妨害するよう構成される。空気、流体又は破片の一以上は、抽出システム１０８によって提供される吸引力に基づいて、付属の本体部８１１ｃの反対表面から、ノズル８１３内に引抜かれる。抽出システム１０８によって提供される吸引力は、空気、流体及び／又は破片を、ノズル８１３を通って、上部シャフト１０５ａ、下部シャフト１０５、及び付属のアタッチメント８０１が取付けられるハンドル１０１の組合せに基づいて、シャフト空気通路、又はハンドル空気通路、及びホースの少なくとも１つの中に、引抜く。
【００９３】
本明細書の一局面は、ハンドル及びシャフトを備える装置に関する。ハンドルは、第一端及び第一端の反対に第二端と、ハンドルの第一端にハンドル流体入口と、ハンドル流体入口と動作伝達可能に接続されるハンドルの第二端にハンドル流体出口と、ハンドルの第一端に第一ハンドル電気接点と、第一ハンドル電気接点と動作伝達可能に接続されるハンドルの第二端に第二ハンドル電気接点と、ハンドルの第一端に第一ハンドル空気通路と、ハンドルの第二端に第二ハンドル空気通路とを備える。シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備える。第一シャフト連結部は、シャフト流体入口と、第一シャフト電気接点と、第一シャフト空気通路とを備える。第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成される。
【００９４】
本明細書の別の局面は、ハンドル、１組のシャフト及び連結バンドルを備える装置に関する。ハンドルは、第一端及び第一端の反対に第二端と、ハンドルの第一端にハンドル流体入口と、ハンドル流体入口と動作伝達可能に接続されるハンドルの第二端にハンドル流体出口と、ハンドルの第一端に第一ハンドル電気接点と、第一ハンドル電気接点と動作伝達可能に接続されるハンドルの第二端に第二ハンドル電気接点と、ハンドルの第一端に第一ハンドル空気通路と、ハンドルの第二端に第二ハンドル空気通路とを備える。１組のシャフトの各シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、第一シャフト連結部とを備える。第一シャフト連結部は、シャフト流体入口と、第一シャフト電気接点と、第一シャフト空気通路とを備える。第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成される。連結バンドルは、第一ハンドル空気通路と動作伝達可能に接続されるホースと、ハンドル流体入口と動作伝達可能に接続される流体供給ラインと、第一ハンドル電気接点と動作伝達可能に接続される電力供給ラインと、抽出システムカプラーとを備える。抽出システムカプラーは、ホースと動作伝達可能に接続される吸引ポートと、流体供給ラインと動作伝達可能に接続される流体供給連結部と、電力供給ラインと動作伝達可能に接続されるに電力供給接点とを備える。抽出システムカプラーは、空気又は流体の一以上の、ホースを通って、抽出システムカプラーが接続される抽出システム内への吸引を促進し、接続された抽出システムから、電気の電力供給ラインへの移送を促進するよう構成される。
【００９５】
本明細書のさらに別の局面は、ハンドル、シャフト、連結バンドル及び付属品を備える装置に関する。ハンドルは、第一端及び第一端の反対に第二端と、ハンドルの第一端にハンドル流体入口と、ハンドル流体入口と動作伝達可能に接続されるハンドルの第二端にハンドル流体出口と、ハンドルの第一端に第一ハンドル電気接点と、第一ハンドル電気接点と動作伝達可能に接続されるハンドルの第二端に第二ハンドル電気接点と、ハンドルの第一端に第一ハンドル空気通路と、ハンドルの第二端に第二ハンドル空気通路とを備える。シャフトは、シャフト流体入口と、シャフト流体入口と動作伝達可能に接続されるシャフト流体出口と、第一シャフト電気接点と、第一シャフト電気接点と動作伝達可能に接続される第二シャフト電気接点と、第一シャフト空気通路と、第一シャフト空気通路と動作伝達可能に接続される第二シャフト空気通路と、シャフト流体入口を備える第一シャフト連結部と、第一シャフト電気接点及び第一シャフト空気通路と、第二シャフト連結部とを備える。第二シャフト連結部は、シャフト流体出口と、第二シャフト電気接点と、第二シャフト空気通路とを備える。第一シャフト連結部は、ハンドルの第二端と結合して、シャフト流体入口をハンドル流体出口と接続し、第一シャフト電気接点を第二ハンドル電気接点と接続し、第一シャフト空気通路を第二ハンドル空気通路と接続するよう構成される。連結バンドルは、第一ハンドル空気通路と動作伝達可能に接続されるホースと、ハンドル流体入口と動作伝達可能に接続される流体供給ラインと、第一ハンドル電気接点と動作伝達可能に接続される電力供給ラインと、抽出システムカプラーとを備える。抽出システムカプラーは、ホースと動作伝達可能に接続される吸引ポートと、流体供給ラインと動作伝達可能に接続される流体供給連結部と、電力供給ラインと動作伝達可能に接続される電力供給接点とを備える。抽出システムカプラーは、空気又は流体の一以上を、ホースを通って、抽出システムカプラーが接続される抽出システム内への吸引を促進し、接続された抽出システムから、電気の電力供給ラインへの移送を促進するよう構成される。付属品は、第二シャフト連結部に着脱可能に取付けられる複数の付属品の１付属品である。複数の付属品の各付属品は、対応する付属の空気通路と付属の連結部とを備え、第二シャフト連結部と結合して、流体の、ハンドルから、複数の付属品の着脱可能に取付けられた少なくとも１つの付属品への移動を促進し、複数の付属品の少なくとも１つの着脱可能に取付けられた付属品へ電気を供給し、複数の付属品の少なくとも１つの着脱可能に取付けられた付属品の付属の空気通路を、第一ハンドル空気通路へ連結するよう構成される。
【００９６】
前述の記載は、いくつかの実施例の特徴の概要を説明したので、当業者は、本開示の局面をより理解するかもしれない。当業者は、同様の目的の実行、及び／又はここに紹介した実施例の同じ有益な点を達成するため、他のプロセス及び構造を又は修正する基礎として、本開示を容易に利用するかもしれないと、当業者は十分に理解するであろう。当業者はまた、そうような同等の構造が、本開示の精神及び範囲から離れず、彼らが本開示の精神及び範囲から離れることなく、ここに、様々な変更、代用及び交代を行うかもしれないことを認識するであろう。そのように、いくつかの実施例の特徴を、前述の明細書及び請求の範囲のいくらかの組合せにおいて述べたが、それら実施例と関連して述べた特徴又はステップは、任意の組合せ又は順序でアレンジされ得る。
【符号の説明】
【００９７】
１００  装置、１０１  ハンドル、１０９  ハンドルの第一端、  １１１  ハンドルの第二端、１１３  ハンドル流体入口、１１５  ハンドル流体出口、１１７  第一ハンドル電気接点、１１９  第二ハンドル電気接点、１２１  第一ハンドル空気通路、１２３  第二ハンドル空気通路、１２５  シャフト流体入口、１２７  シャフト流体出口、１２９  第一シャフト電気接点、１３１  第二シャフト電気接点、１３３  第一シャフト空気通路、１３５  第二シャフト空気通路、１３７  第一シャフト連結部。
【図１】
2019055180.tif 000003
【図２】
2019055180.tif 000004
【図３】
2019055180.tif 000005
【図４】
2019055180.tif 000006
【図５】
2019055180.tif 000007
【図６】
2019055180.tif 000008
【図７】
2019055180.tif 000009
【図８】
2019055180.tif 000010